(57)【要約】【課題】フィルタの形状がプリーツ状形状でないにも関わらず、プリーツ状にする機能を有する投影装置を提供する。【解決手段】本発明の投影装置は、筐体と、前記筐体の内部に設けられ、投影光を生成して射出する投影部と、前記筐体に形成された開口部と、前記開口部と対応する位置に設けられ、第１の列を成す複数の突起部を含む第１突起部群と、前記開口部と対応する位置、且つ前記第１突起部群の前記突起部同士の間と対向するように設けられ、第２の列を成す複数の突起部を含む第２突起部群と、含み、前記第１突起部群及び前記第２突起部群の少なくとも一方を移動させることで、前記第１突起部群の前記突起部が、前記第２突起部群の前記突起部の間を通過し、前記第１突起部群と前記第２突起部群との間に配置されたフィルタを押圧してプリーツ状に形成する。【選択図】  図４
2015176086.tif 000002
【特許請求の範囲】
【請求項１】
筐体と、
前記筐体の内部に設けられ、投影光を生成して射出する投影部と、
前記筐体に形成された開口部と、
前記開口部と対応する位置に設けられ、第１の列を成す複数の突起部を含む第１突起部群と、
前記開口部と対応する位置、且つ前記第１突起部群の前記突起部同士の間と対向するように設けられ、第２の列を成す複数の突起部を含む第２突起部群と、
を含み、
前記第１突起部群及び前記第２突起部群の少なくとも一方を移動させることで、前記第１突起部群の前記突起部が、前記第２突起部群の前記突起部の間を通過し、前記第１突起部群と前記第２突起部群との間に配置されたフィルタを押圧してプリーツ状に形成することを特徴とする投影装置。
【請求項２】
前記第１突起部群の複数の前記突起部を保持する第１保持部材と、
前記第２突起部群の複数の前記突起部を保持する第２保持部材と、
を含み、
前記第１突起部群の複数の前記突起部は、前記第１保持部材の、前記第２保持部材側に突き出した複数の第１保持部により保持されており、
前記第２突起部群の複数の前記突起部は、前記第２保持部材の、前記第１保持部材側に突き出した複数の第２保持部により保持されていることを特徴とする請求項１に記載の投影装置。
【請求項３】
前記第１の列を成す前記突起部の一方の端部は、前記第１保持部材の一方側の前記第１保持部に保持され、前記第１の列を成す前記突起部の他方の端部は、前記第１保持部材の他方側の前記第１保持部に保持され、
前記第２の列を成す前記突起部の一方の端部は、前記第２保持部材の一方側の前記第２保持部に保持され、前記第２の列を成す前記突起部の他方の端部は、前記第２保持部材の他方側の前記第２保持部に保持されていることを特徴とすることを特徴とする請求項２に記載の投影装置。
【請求項４】
前記第１の列を成す前記突起部の前記一方の端部から前記他方の端部までの間に離間部が設けられ、前記突起部の前記一方の端部から前記他方の端部にかけて、向かい合う一対の前記突起部が形成されていることを特徴とする請求項３に記載の投影装置。
【請求項５】
前記第２の列を成す前記突起部の前記一方の端部から前記他方の端部までの間に離間部が設けられ、前記突起部の前記一方の端部から前記他方の端部にかけて、向かい合う一対の前記突起部が形成されていることを特徴とする請求項３又は請求項４に記載の投影装置。
【請求項６】
前記突起部は、前記一方の端部から前記離間部に掛けて及び／又は前記他方の端部から前記離間部に掛けて、断面積が小さくなっていく、錐体状又は錐台状に形成されていることを特徴とする請求項４又は請求項５に記載の投影装置。
【発明の詳細な説明】
【技術分野】
【０００１】
本発明は、画像を投影する投影装置に関する。
【背景技術】
【０００２】
従来、画像を投影する投影装置において、吸排気口にプリーツ状（蛇腹状）のフィルタを設けたものが知られている（例えば、特許文献１参照）。
このようなプリーツ状のフィルタは、蛇腹構造によって集塵する面積が多く取れるので長時間使用することができ、フィルタの交換回数が減らせるというメリットがある。
【先行技術文献】
【特許文献】
【０００３】
【特許文献１】特開２０１２−０６６１７８号公報
【発明の概要】
【発明が解決しようとする課題】
【０００４】
プリーツ状（蛇腹状）のフィルタは、そのプリーツ形状（蛇腹形状）を維持するために、フィルタが外枠と一体に形成されている。機種が変ると吸排気口のサイズなども変わるため、機種ごとにフィルタを作製しなければならない。また、使用環境によって目の粗さや厚さ等の異なるフィルタに変える必要が生じてくるため、汎用性が低く、小ロットで生産する必要があり、コストや手間が掛かるという問題がある。
【０００５】
本発明は、上記のような事情に鑑みなされたものであり、フィルタの形状がプリーツ状（蛇腹状）形状でないにも関わらず、ユーザーがフィルタを簡単にプリーツ状（蛇腹状）に形成できる機能を有する投影装置を提供することを目的とする。
【課題を解決するための手段】
【０００６】
（１）本願発明に係る１つの態様は、
筐体と、
前記筐体の内部に設けられ、投影光を生成して射出する投影部と、
前記筐体に形成された開口部と、
前記開口部と対応する位置に設けられ、第１の列を成す複数の突起部を含む第１突起部群と、
前記開口部と対応する位置、且つ前記第１突起部群の前記突起部同士の間と対向するように設けられ、第２の列を成す複数の突起部を含む第２突起部群と、
を含み、
前記第１突起部群及び前記第２突起部群の少なくとも一方を移動させることで、前記第１突起部群の前記突起部が、前記第２突起部群の前記突起部の間を通過し、前記第１突起部群と前記第２突起部群との間に配置されたフィルタを押圧してプリーツ状に形成することを特徴とする投影装置を提供する。
【発明の効果】
【０００７】
本発明によれば、フィルタの形状がプリーツ状（蛇腹状）形状でないにも関わらず、ユーザーがフィルタを簡単にプリーツ状（蛇腹状）に形成できる機能を有する投影装置を提供することができる。
【図面の簡単な説明】
【０００８】
【図１】本発明に係る実施形態の投影装置の全体斜視図
【図２】投影装置制御手段の構成を示すブロック図
【図３】本発明に係る実施形態の投影装置の内部構造を示す平面模式図
【図４】青色光源装置における冷却部の分解斜視図
【図５】本発明のフィルタの取付け構造を示す図
【図６】フィルタがプリーツ状になる説明図
【図７】図５に示す取付け構造の第１の変形例を示す図
【図８】図５に示す取付け構造の第２の変形例を示す図
【図９】本発明のフィルタの取付け構造の第３の変形例を示す図
【発明を実施するための形態】
【０００９】
以下、本発明の実施形態を図に基づいて詳説する。
図１に示すように、投影装置１０は、略直方体形状の筐体（ケース）１４を有する。筐体１４は、平板状の上ケース（ケース）１１と、上方に開口した箱状の下ケース（ケース）１２を有する。上ケース１１の前部略中央及び下ケース１２の前面には、上方、及び、前方から切り込むように凹部が形成されており、この凹部の後端には凹部の底面に掛かるように、スクリーン方向に画像を投影させる投影レンズ４１が配置される。
なお、本実施形態において、投影装置１０における左右とは投影方向に対しての左右方向を示し、前後とは投影装置１０のスクリーン側方向及び光線束の進行方向に対しての前後方向を示す。
【００１０】
上ケース１１には、スピーカ窓１１１やキー／インジケータ部１１２が設けられている。キー／インジケータ部１１２には、電源スイッチキーや電源のオン又はオフを報知するパワーインジケータ、投影のオン、オフを切りかえる投影スイッチキー、光源ユニットや表示素子又は制御回路等が過熱したときに報知をする過熱インジケータ等のキーやインジケータが配置されている。
また、下ケース１２の背面には、背面パネルにＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子１３が設けられている。
【００１１】
次に、投影装置１０の投影装置制御手段について説明する。
図２に示すように、投影装置制御手段は、制御部２０、入出力インターフェース２１、画像変換部２２、表示エンコーダ２３、表示駆動部２４等を有する。
また、制御部２０は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００１２】
従って、入出力コネクタ部２１１から入力された各種規格の画像信号は、入出力インターフェース２１、システムバス（ＳＢ）を介して画像変換部２２で表示に適した所定のフォーマットの画像信号に統一するように変換された後、表示エンコーダ２３に出力される。
また、表示エンコーダ２３は、入力された画像信号をビデオＲＡＭ２５に展開記憶させた上でこのビデオＲＡＭ２５の記憶内容からビデオ信号を生成して表示駆動部２４に出力する。
【００１３】
表示駆動部２４は、表示素子制御手段として機能するものであり、表示エンコーダ２３から出力された画像信号に対応して適宜フレームレートで空間的光変調素子（ＳＯＭ）である表示素子２６を駆動するものである。
この投影装置１０は、光源ユニット５０から射出された光線束を後述の光源側光学系を介して表示素子２６に照射することにより、表示素子２６の反射光で光像を形成し、投影側光学系を介して図示しないスクリーンに画像を投影表示する。
なお、この投影側光学系の可動レンズ群４０は、レンズモータ４２によりズーム調整やフォーカス調整のための駆動が行われる。
【００１４】
また、画像圧縮／伸長部２７は、画像信号の輝度信号及び色差信号をＡＤＣＴ及びハフマン符号化等の処理によりデータ圧縮して着脱自在な記録媒体とされるメモリカード２８に順次書き込む記録処理を行う。
さらに、画像圧縮／伸長部２７は、再生モード時にメモリカード２８に記録された画像データを読み出し、一連の動画を構成する個々の画像データを１フレーム単位で伸長し、この画像データを、画像変換部２２を介して表示エンコーダ２３に出力し、メモリカード２８に記憶された画像データに基づいて動画等の表示を可能とする処理を行う。
【００１５】
そして、筐体の上ケース１１に設けられるメインキー及びインジケータ等により構成されるキー／インジケータ部１１２の操作信号は、直接に制御部２０に送出され、リモートコントローラからのキー操作信号は、Ｉｒ受信部２９で受信され、Ｉｒ処理部３１で復調されたコード信号が制御部２０に出力される。
なお、制御部２０にはシステムバス（ＳＢ）を介して音声処理部３２が接続されている。この音声処理部３２は、ＰＣＭ音源等の音源回路を備えており、投影モード及び再生モード時には音声データをアナログ化し、スピーカ３３を駆動して拡声放音させる。
【００１６】
また、制御部２０は、光源制御手段としての光源制御回路３４を制御しており、この光源制御回路３４は、画像生成時に要求される所定波長帯域の光が光源ユニット５０から射出されるように、光源ユニット５０の赤色、緑色及び青色の波長帯域光を発光させる個別の制御を行う。
さらに、制御部２０は、冷却ファン駆動制御回路３５に光源ユニット５０等に設けた複数の温度センサによる温度検出を行わせ、この温度検出の結果から冷却ファンの回転速度を制御させている。
また、制御部２０は、冷却ファン駆動制御回路３５にタイマー等により投影装置本体の電源オフ後も冷却ファンの回転を持続させる、あるいは、温度センサによる温度検出の結果によっては投影装置本体の電源をオフにする等の制御も行う。
【００１７】
次に、この投影装置１０の内部構造について述べる。
図３に示すように、投影装置１０は、下ケース１２内の左側に回路ブロック６１１を有し、回路ブロック６１１として電源基板６１２を配置させる。電源基板６１２は、各種光源の点灯用電源、ＤＭＤや各種ＩＣ用の主電源、及び、モータ等の機構系を駆動させるための駆動電源等の各電源電圧を生成する電源回路を実装している。
回路ブロック６１１において、電源基板６１２は、投影装置１０のケース１４近傍に配置されて、その内側に中空の回路ブロック６１１空間を形成している。
【００１８】
投影装置１０は、回路ブロック６１１の右側板側で投影装置筐体の略中央部分に光学系ユニット４３を備えている。そして、投影装置１０は、光学系ユニット４３の右側板方向に光源ユニット５０を備えている。
光源ユニット５０は、励起光照射装置５１と、この励起光照射装置５１から射出される光線束の光軸上に配置される蛍光発光装置５２による緑色光源装置５３と、この蛍光発光装置５２から射出される光線束と平行となるように配置される赤色光源装置５４と、励起光照射装置５１と蛍光発光装置５２との間に配置される青色光源装置５５と、を有する。
また、光源ユニット５０は、蛍光発光装置５２からの射出光や赤色光源装置５４からの射出光及び青色光源装置５５からの射出光の光軸が夫々同一の光軸となるように変換して各色光を所定の一面であるライトトンネル５６の入射口に集光する導光光学系５７と、を有する。
【００１９】
緑色光源装置５３としての励起光照射装置５１は、背面板と光軸が直交するよう配置された半導体発光素子による励起光源５３１と、励起光源５３１からの射出光を集光する集光レンズ５３２と、励起光源５３１と背面板との間に配置されたヒートシンク５３３と、を有する。
ヒートシンク５３３の背面板側には、軸流式の吸気ファンである２つの冷却ファン５３４，５３５が配置されている。また、ヒートシンク５３３の右側板側には、空気を右後側排気孔に排気させる右後側ダクト５３６が配置されている。さらに、ヒートシンク５３３の左側には、空気を底面板の底面排気孔より装置外に排気させるための底面側ダクト５３７が配置されている。
【００２０】
励起光源５３１は、青色レーザーダイオード等のレーザー光源としての発光素子であり、各励起光源５３１の光軸上には、励起光源５３１からの射出光を指向性が増した光に変換するレンズであるコリメータレンズ５３８がそれぞれに配置されている。
そして、複数のコリメータレンズ５３８は、各励起光源５３１から射出される光線束の間隔を縮小して集光レンズ５３２に射出する。
【００２１】
緑色光源装置５３における蛍光発光装置５２は、励起光照射装置５１からの射出光の光軸と直交するように配置された蛍光ホイール５２１と、この蛍光ホイール５２１を回転駆動するホイールモータ５２２と、蛍光ホイール５２１から背面板側に射出される光線束を集光する集光レンズ群５２３と、を備える。
蛍光ホイール５２１の緑色の蛍光体層に照射された励起光照射装置５１からの射出光は、緑色の蛍光体層における緑色蛍光体を励起し、緑色蛍光体から全方位に蛍光発光された光線束は、直接励起光源５３１側へ、あるいは、蛍光ホイール５２１の反射面で反射した後に励起光源５３１側へ射出される。
【００２２】
なお、蛍光ホイール５２１の反射面で蛍光体層側に反射された励起光において蛍光体に吸収されることなく励起光源５３１側に射出された励起光は、第一ダイクロイックミラー５２４を透過し、蛍光光は第一ダイクロイックミラー５２４により反射される。
【００２３】
青色光源装置５５は、蛍光発光装置５２からの射出光の光軸と直交するように配置された青色光源５５１と、青色光源５５１からの射出光を集光する集光レンズ群５５２と、を備える。
この青色光源装置５５は、赤色光源装置５４からの射出光と光軸が交差するように配置されている。また、青色光源５５１は、青色の波長帯域光を発する半導体発光素子としての青色発光ダイオード（ＬＥＤ）である。
【００２４】
さらに、青色光源装置５５は、青色光源５５１の右側板側に配置されるヒートシンク５５３を備える。そして、ヒートシンク５５３と背面板との間には、吸気した外気を、方向を変えて送風させる冷却ファン５５４が配置されている。冷却ファン５５４は、シロッコファンである。
そして、ヒートシンク５５３の正面板側には、ヒートシンク５５３により暖められた空気を右前側排気孔により装置外に排気させるための右前側ダクト５５５が配置されている。
【００２５】
赤色光源装置５４は、励起光源５３１と光軸が平行となるように配置された赤色光源５４１と、赤色光源５４１からの射出光を集光する集光レンズ群５４２と、を備える。そして、この赤色光源装置５４は、励起光照射装置５１からの射出光及び蛍光ホイール５２１から射出される緑色波長帯域光と光軸が平行となるように配置されている。
さらに、赤色光源装置５４は、赤色光源５４１の正面板側に配置されるヒートシンク５４３を備える。そして、ヒートシンク５４３と正面板の右正面吸気孔との間には冷却ファン５４４が配置されている。冷却ファン５４４は、軸流ファンである。
そして、ヒートシンク５４３の右側板側には、ヒートシンク５４３により暖められた空気を右正面排気孔より装置外に排気させるための正面側ダクト５４５が配置されている。
【００２６】
導光光学系５７は、赤色、緑色、青色波長帯域の光線束を集光させる集光レンズや、各色波長帯域の光線束の光軸を変換して同一の光軸とさせるダイクロイックミラー等からなる。
また、赤色光源装置５４から射出される赤色波長帯域光の光軸と、青色光源装置５５から射出される青色波長帯域光の光軸と、が交差する位置に、青色及び緑色波長帯域光を透過し、赤色波長帯域光を反射させて赤色波長帯域光の光軸を９０度変換する第二ダイクロイックミラー５７１が配置されている。
【００２７】
第二ダイクロイックミラー５７１を通過及び反射した各色光は、全反射ミラー５７２を介して光軸を９０度変換して、ライトトンネル５６に入射させる。なお、ライトトンネル５６の近傍には、ライトトンネル５６の入射口に光源光を集光する集光レンズ５７３が配置されている。
【００２８】
光学系ユニット４３は、装置内の略中央に位置する画像生成ブロック４３２と、導光光学系５７と回路ブロック６１１との間に位置する投影側ブロック４３３と、の２つのブロックによって構成されている。
光源ユニット５０から射出された光源光を画像生成ブロック４３２が備える表示素子２６に導光する光源側光学系４３４としては、光源ユニット５０から射出された光線束を均一な強度分布の光束とするライトトンネル５６、ライトトンネル５６から射出された光を集光する集光レンズ４３５、ライトトンネル５６から射出された光線束の光軸を画像生成ブロック４３２方向に変換する光軸変換ミラー４３６等がある。
【００２９】
画像生成ブロック４３２は、表示素子ブロックとして熱源である表示素子２６とするＤＭＤと、この表示素子２６と背面板との間には表示素子２６を冷却するためのヒートシンク４３９と、を備え、このヒートシンク４３９によって表示素子２６が冷却される。
また、画像生成ブロック４３２は、光源側光学系４３４として、光軸変換ミラー４３６で反射した光源光を表示素子２６に集光させる集光レンズ４３７と、この集光レンズ４３７を透過した光線束を表示素子２６に所定の角度で照射する照射ミラー４３８と、を有している。更に、表示素子２６の正面近傍には、投影側光学系４４としてのコンデンサレンズ４４１が配置されている。
【００３０】
投影側ブロック４３３は、表示素子２６で反射されたオン光をスクリーンに放出する投影側光学系４４のレンズ群を有している。この投影側光学系４４としては、固定鏡筒に内蔵する固定レンズ群４４２と可動鏡筒に内蔵する可動レンズ群４０とを備えてズーム機能を備えた可変焦点型レンズとされ、レンズモータにより可動レンズ群４０を移動させることによりズーム調整やフォーカス調整を可能としている。
【００３１】
次に、図４を参照しながら、青色光源５５１を有する青色光源装置５５に設けられている冷却部７０について説明する。
冷却部７０は、下ケース１２の側面に設けられている吸気用スリット（開口部）１４１（図１参照）の内側に設けられており、その吸気用スリット（開口部）１４１から吸気した空気の流れにより青色光源装置５５（図３参照）を冷却する。
図４に示すように、冷却部７０は、冷却ファン５５４を有しており、冷却ファン５５４を収容するファンボックス７１が筐体１４（図１参照）に取り付けられている。
なお、冷却部７０の説明においては、筐体１４の右方向（右側）を前方（前側）として説明する。すなわち、図４における「左」を「前」として説明する。
【００３２】
冷却ファン５５４は、シロッコファンであり、筐体１４の右側板の内側に取り付けられており、筐体１４の吸気用スリット１４１を介して吸気する（図１参照）。
図４に示す冷却ファン５５４の前側（外側）には、図示しないフィルタが取り付けられる。
【００３３】
図５を参照して、図４に示す冷却ファン５５４の前側（外側）にフィルタを取付けるための構造について説明する。
この取付け構造は、図５に示すように、第１保持部材８０と第２保持部材９０とからなり、第１保持部材８０の第１合せ面８２と第２保持部材９０の第２合せ面９２とを合わせるようにすることで一体化する。
【００３４】
図５では、省略しているが、第１保持部材８０と第２保持部材９０には、合わせたときに両部材を貫通する貫通孔が設けられており、その貫通孔を通すようにネジを差込み、図４に示されるファンボックス７１の前端面７１１に設けられるネジ穴（図示せず）にネジ止めする。つまり、第１保持部材８０と第２保持部材９０とは、同じネジで前端面７１１に設けられるネジ穴（図示せず）に共締めすることで固定される。
また、このネジを緩めると第１合せ面８２と第２合せ面９２は離間することができる。
【００３５】
図５に示されるように、第１保持部材８０には、第１合せ面８２側に突き出した複数の第１保持部８１が上下に設けられている。そして、複数の第１保持部８１は、複数の突起部８３が第１の列を成すように複数の突起部８３を保持するために設けられている。
なお、この複数の突起部８３をまとめて表現する時には第１突起部群８５とも呼ぶ。
そして、突起部８３の一方の端部（例えば上側の端部）と突起部８３の他方の端部（例えば下側の端部）が、それぞれ、第１保持部材８０の一方側の第１保持部８１（例えば上側の保持部）と他方側の第１保持部８１（例えば下側の保持部）に保持されている。
【００３６】
同様に、第２保持部材９０には、複数の突起部９３が第２の列を成すように保持するための複数の第２保持部９１が設けられている。
なお、この複数の突起部９３をまとめて表現する時には第２突起部群９５とも呼ぶ。
そして、突起部９３の一方の端部（例えば上側の端部）と突起部９３の他方の端部（例えば下側の端部）が、それぞれ、第２保持部材９０の一方側の第２保持部９１（例えば上側の保持部）と他方側の第２保持部９１（例えば下側の保持部）に保持されている。
【００３７】
図５に示されるように第１保持部材８０に第１の列を成すように保持された複数の突起部８３（第１突起部群８５）と第２保持部材９０に第２の列を成すように保持された複数の突起部９３（第２突起部群９５）とは、位置的に重ならないように設けられている。
つまり、第１保持部材８０に第１の列を成すように保持された複数の突起部８３（第１突起部群８５）の各突起部８３の間に対向するように第２保持部材９０に第２の列を成すように保持された複数の突起部９３（第２突起部群９５）は設けられている。
【００３８】
そして、フィルタ６０の固定方法は、先ず、共ネジ（図示せず）を緩め第１合せ面８２と第２合せ面９２とを離間させた後、第１合せ面８２と第２合せ面９２との間に平面状のフィルタ６０を配置する。
この状態が図６（ａ）に示された状態である。なお、図６では、第１の列を成すように配置された突起部８３（第１突起部群８５）と第２の列を成すように配置された突起部９３（第２突起部群９５）とフィルタ６０の関係だけを示している。
【００３９】
そして、前述したように、共ネジを締め付けて図５に示す第１合せ面８２と第２合せ面９２とを近づけていく。
そうすると、図６（ｂ）に示されるように、第１突起部群８５と第２突起部群９５との間に配置されたフィルタ６０は、第１突起部群８５と第２突起部群９５とに押圧されてプリーツ状（蛇腹状）に変形する。
そして、共ネジを最後まで締めこむとフィルタ６０は、第１合せ面８２と第２合せ面９２とに挟まれて固定される。この際、平面視して、第１突起部群８５を成す列の位置と第２突起部群９５を成す列の位置とが逆転する。
【００４０】
したがって、プリーツ状（蛇腹状）でないフィルタ６０であっても本構成であれば、プリーツ状（蛇腹状）の形状となるようにすることができる。
また、機種ごとに吸排気口のサイズが異なっている場合でも平面状のフィルタ６０を適切なサイズに切断すれば良いだけであるのでフィルタ６０の汎用性が高い。なお、フィルタ６０装着後に、投影装置１０を稼動する際は、フィルタ６０の種類によって空気の通りやすさが異なるため、フィルタ６０の違いによる投影装置１０の内部の温度に対応して冷却ファン５５４の回転数を変化させることが望ましい。
上記では、第１保持部材８０に３本の突起部８３を設け、第２保持部材９０に２本の突起部９３を設けた場合を示したが、突起部８３，９３の本数は任意に変更して良く、もっと本数を増やしてもよい。また、プリーツ状（蛇腹状）の形状を形成するフィルタ６０として１枚の例を示したが、これに限らず、帯電フィルタ、防水フィルタ、砂塵フィルタ、脱臭フィルタ等の中から最適な種類の組み合わせの２枚のフィルタを用いて使用しても良い。例えば、帯電フィルタと防水フィルタの組み合わせの２枚のフィルタ６０を、第１突起部群８５と第２突起部群９５との間に挟みこんでプリーツ状（蛇腹状）の形状を形成するようにしても良い。
【００４１】
図７は、図５に示した第１保持部材８０と第２保持部材９０の第１の変形例を示すものである。
図５の例との違いは、突起部８３，９３が一方の端部（例えば上側の端部）から他方の端部（例えば下側の端部）までの間に離間部８７，９７が設けられることで、各突起部８３，９３が向かい合う一対の突起部で構成されている点である。
【００４２】
図５のような場合、突起部８３，９３が一方の端部（例えば上側の端部）から他方の端部（例えば下側の端部）までつながっているのでフィルタ６０に接触する面積が大きくなる。このため、摺動抵抗が増えて共締めのときに作業がやり難い場合がある。このような場合、図７に示すように離間部８７，９７を設けるとその分だけ接触面積を減らすことができるので共締め作業が行い易くなる。また、離間部８７，９７を設けた分だけフィルタ６０との接触面積が小さくなるので、吸気用スリット（開口部）１４１から吸気される際のフィルタ６０の有効面積は大きくなり、圧力損失を減らすことができる。更に、突起部８３，９３の一方の端部側（例えば上側の端部側）及び他方の端部側（例えば下側の端部側）の形状を円柱や多角柱等の柱状ではなく、離間部に向かって断面積が小さくなっていく、円錐や多角錐等の錐体状、或いは錐台状に形成することで、更にフィルタ６０との接触面積を小さくできるので、吸気用スリット（開口部）１４１から吸気される際のフィルタ６０の有効面積は更に大きくなり、圧力損失をより減らすことができる。
【００４３】
図８は、図５に示した第１保持部８１の第２の変形例であり、第１保持部材８０に操作部８９を設けたものである。
図５では、ネジの共締めによって第１合せ面８２と第２合せ面９２とを合わせるようにしていたが、図８に示される場合、第２保持部材９０を適宜固定しておき、第１保持部材８０の操作部８９を、モータ等を用いて動かすことで第１合せ面８２を第２合せ面９２に近づけたり離したりできるようにすることができる。
【００４４】
図９は、第１保持部材８０と第２保持部材９０の第３の変形例を示すものである。第１保持部材８０にはフィルタ６０を挟むスリット８４が設けられており、第２保持部材９０には操作部９９が設けられている。
そして、スリット８４にフィルタ６０を嵌め込んだ後に操作部９９を第１保持部材８０側に引っ張るように操作して第２保持部材９０を第１保持部材８０に近づけ、第２保持部材９０の突起部９３が第１保持部材８０の突起部８３を通り越すところまで移動させると、図６（ｂ）に示したのと同様の状態となり、フィルタ６０がプリーツ状（蛇腹状）となる。
【００４５】
図９に示す例では、図示されているのと逆の動きでも同様のことができる。
つまり、第２保持部材９０が第１保持部材８０の後ろに設置され、先ほどは引っ張るように操作部９９を動かしたが、逆に押し出すように操作部９９を動かすようにしてもよい。
【００４６】
本発明の実施形態においては、突起部８３、９３の延伸方向は、投影装置１０の筐体１４の上ケース１１から下ケース１２に向かう高さ方向としたが、これに限らない。例えば、突起部８３、９３が、筐体１４の高さ方向と直交する筐体１４の横方向に延伸するように設けられていても良い。
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４７】
〔付記〕
＜請求項１＞
筐体と、
前記筐体の内部に設けられ、投影光を生成して射出する投影部と、
前記筐体に形成された開口部と、
前記開口部と対応する位置に設けられ、第１の列を成す複数の突起部を含む第１突起部群と、
前記開口部と対応する位置、且つ前記第１突起部群の前記突起部同士の間と対向するように設けられ、第２の列を成す複数の突起部を含む第２突起部群と、
を含み、
前記第１突起部群及び前記第２突起部群の少なくとも一方を移動させることで、前記第１突起部群の前記突起部が、前記第２突起部群の前記突起部の間を通過し、前記第１突起部群と前記第２突起部群との間に配置されたフィルタを押圧してプリーツ状に形成することを特徴とする投影装置。
＜請求項２＞
前記第１突起部群の複数の前記突起部を保持する第１保持部材と、
前記第２突起部群の複数の前記突起部を保持する第２保持部材と、
を含み、
前記第１突起部群の複数の前記突起部は、前記第１保持部材の、前記第２保持部材側に突き出した複数の第１保持部により保持されており、
前記第２突起部群の複数の前記突起部は、前記第２保持部材の、前記第１保持部材側に突き出した複数の第２保持部により保持されていることを特徴とする請求項１に記載の投影装置。
＜請求項３＞
前記第１の列を成す前記突起部の一方の端部は、前記第１保持部材の一方側の前記第１保持部に保持され、前記第１の列を成す前記突起部の他方の端部は、前記第１保持部材の他方側の前記第１保持部に保持され、
前記第２の列を成す前記突起部の一方の端部は、前記第２保持部材の一方側の前記第２保持部に保持され、前記第２の列を成す前記突起部の他方の端部は、前記第２保持部材の他方側の前記第２保持部に保持されていることを特徴とすることを特徴とする請求項２に記載の投影装置。
＜請求項４＞
前記第１の列を成す前記突起部の前記一方の端部から前記他方の端部までの間に離間部が設けられ、前記突起部の前記一方の端部から前記他方の端部にかけて、向かい合う一対の前記突起部が形成されていることを特徴とする請求項３に記載の投影装置。
＜請求項５＞
前記第２の列を成す前記突起部の前記一方の端部から前記他方の端部までの間に離間部が設けられ、前記突起部の前記一方の端部から前記他方の端部にかけて、向かい合う一対の前記突起部が形成されていることを特徴とする請求項３又は請求項４に記載の投影装置。
＜請求項６＞
前記突起部は、前記一方の端部から前記離間部に掛けて及び／又は前記他方の端部から前記離間部に掛けて、断面積が小さくなっていく、錐体状又は錐台状に形成されていることを特徴とする請求項４又は請求項５に記載の投影装置。
【符号の説明】
【００４８】
１０  投影装置
１４  筐体（ケース）
６０  フィルタ
８０  第１保持部材
８１  第１保持部
８２  第１合せ面
８３  突起部
８４  スリット
８５  第１突起部群
８７  離間部
８９  操作部
９０  第２保持部材
９１  第２保持部
９２  第２合せ面
９３  突起部
９５  第２突起部群
９７  離間部
９９  操作部
１４１  吸気用スリット（開口部）
５５１  青色光源（光源）
５５４  冷却ファン（ファン）
７１  ファンボックス
７１２  吸気口
【図１】
2015176086.tif 000003
【図２】
2015176086.tif 000004
【図３】
2015176086.tif 000005
【図４】
2015176086.tif 000006
【図５】
2015176086.tif 000007
【図６】
2015176086.tif 000008
【図７】
2015176086.tif 000009
【図８】
2015176086.tif 000010
【図９】
2015176086.tif 000011